(57)【要約】【課題】ディジタル復調における事前に想定されていない伝送路において、復調特性が劣化する。【解決手段】記憶・選択・制御部６０１では、第２の復調部２０２へ復調特性を変化させるように第２の復調パラメータ４の値を変化させ、その時の伝送品質評価値９と第２の復調パラメータ４を対として記憶する。その後、再度第２の復調パラメータ４の値を別の値に変化させ、その時の伝送品質評価値９と第２の復調パラメータ４を対として記憶する。以上の動作をある一定もしくは可変のレートで繰り返し行い、伝送品質評価値９が最も良くなる第２の復調パラメータ４を探索する。その後、第２の復調部２０２の伝送品質評価値９が最も良くなる第２の復調パラメータ４と同じものを第１の復調パラメータ３として第１の復調部２０１へ与える。【選択図】  図１
2004266751.tif 000002
【特許請求の範囲】
【請求項１】
複数の復調部を持ち、
ディジタル変調信号と、記憶・選択・制御部の出力する１つもしくは複数の異なる復調パラメータを入力とする前記複数の復調部の中の第１の復調部と、
前記ディジタル変調信号と、前記記憶・選択・制御部の出力する１つもしくは複数の異なる復調パラメータを入力とする前記複数の復調部の中の第２の復調部と、
前記第２の復調部が出力する１つもしくは複数の異なる伝送品質評価値を入力とし、前記記憶・選択・制御部から出力する前記第２の復調部への前記１つもしくは複数の異なる復調パラメータと伝送品質評価値とを対として記憶し、記憶した前記１つもしくは複数の異なる復調パラメータの中から伝送品質評価値が最も良くなる復調パラメータを選択し、前記第１の復調部へ与える前記記憶・選択・制御部とを備え、
動的に前記第１の復調部の復調パラメータを最適にする
ことを特徴とする復調装置。
【請求項２】
複数の復調部を持ち、
ディジタル変調信号と、記憶・選択・制御部の出力する１つもしくは複数の異なる復調パラメータを入力とする前記複数の復調部の中の第１の復調部と、
前記ディジタル変調信号と、前記記憶・選択・制御部の出力する１つもしくは複数の異なる復調パラメータを入力とする前記複数の復調部の中の第２の復調部と、
ユーザが受信チャンネルを選択する選局部と、
前記選局部の出力と、前記第２の復調部が出力する１つもしくは複数の異なる伝送品質評価値を入力とし、前記記憶・選択・制御部から出力する前記第２の復調部への前記１つもしくは複数の異なる復調パラメータと伝送品質評価値とを対として記憶し、チャンネル選局時に、記憶した前記１つもしくは複数の異なる復調パラメータの中から伝送品質評価値が最も良くなる復調パラメータを選択し、前記第１の復調部へ与える前記記憶・選択・制御部とを備え、
チャンネル選局時に前記第１の復調部の復調パラメータを最適にする
ことを特徴とする復調装置。
【請求項３】
複数の復調部を持ち、
ディジタル変調信号と、記憶・選択・制御部の出力する１つもしくは複数の異なる復調パラメータを入力とする前記複数の復調部の中の第１の復調部と、
前記ディジタル変調信号と、前記記憶・選択・制御部の出力する１つもしくは複数の異なる復調パラメータを入力とする前記複数の復調部の中の第２の復調部と、
ユーザが受信チャンネルを選択する選局部と、
前記選局部の出力と、前記記憶・選択・制御部の出力する１つもしくは複数の異なる復調パラメータと、前記第２の復調部の出力する同期検出信号とを入力とし、前記１つもしくは複数の異なる復調パラメータが切り換わってから同期するまので時間を測定する同期引き込み測定部と、
前記第１の復調部が出力する同期検出信号と、
前記同期引き込み測定部が出力する同期引き込み時間と、前記第２の復調部が出力する１つもしくは複数の異なる伝送品質評価値とを入力とし、前記記憶・選択・制御部から出力する前記第２の復調部への前記１つもしくは複数の異なる復調パラメータと同期引き込み時間とを対として記憶するのと合わせて、前記記憶・選択・制御部から出力する前記第２の復調部への前記１つもしくは複数の異なる復調パラメータと伝送品質評価値とを対として記憶し、チャンネル選局時に、記憶した前記１つもしくは複数の異なる復調パラメータの中から同期引き込み時間が最も短くなる復調パラメータを選択し、前記第１の復調部の同期が確立した後、記憶した前記１つもしくは複数の異なる復調パラメータの中から伝送品質評価値が最も良くなる復調パラメータを選択し、前記第１の復調部へ与える前記記憶・選択・制御部とを備え、
動的に前記第１の復調部の復調パラメータを最適にする
ことを特徴とする復調装置。
【請求項４】
請求項１から請求項３のいずれか１つにおいて、
前記記憶・選択・制御部は
前記第２の復調部より通常出力を出力する場合、前記第２の復調部への復調パラメータ出力を停止し、伝送品質評価値が最も良くなる１つもしくは複数の異なる復調パラメータを前記第２の復調部へ与える
ことを特徴とする復調装置。
【請求項５】
請求項１から請求項３のいずれか１つにおいて、
前記記憶・選択・制御部は、
前記第２の復調部へ復調パラメータを更新し、前記第２の復調部が出力する伝送品質評価値を記憶することで、一つもしくは複数の異なるチャンネルについてあらかじめ最新最適復調パラメータを更新保持し続ける
ことを特徴とする復調装置。
【請求項６】
請求項１から請求項３のいずれか１つにおいて、
前記記憶・選択・制御部は、
出力する１つもしくは複数の異なる復調パラメータに優先順位をつけ、優先順位の高い前記１つもしくは複数の異なる復調パラメータから前記第２の復調部へ与える
ことを特徴とする復調装置。
【請求項７】
請求項１から請求項３のいずれか１つにおいて、
前記記憶・選択・制御部は、
前記第２の復調部の出力する複数の異なる伝送品質評価値を入力とし、複数の異なる伝送品質評価値の中から前記伝送品質評価値での感度が最もよい伝送品質評価値を基準に伝送品質を判断する
ことを特徴とする復調装置。
【請求項８】
複数の復調部を持ち、
ディジタル変調信号と、記憶・選択・制御ステップの出力する１つもしくは複数の異なる復調パラメータを入力とする前記複数の復調部の中の第１の復調部と、
前記ディジタル変調信号と、前記記憶・選択・制御ステップの出力する１つもしくは複数の異なる復調パラメータを入力とする前記複数の復調部の中の第２の復調部と、
前記第２の復調部が出力する１つもしくは複数の異なる伝送品質評価値を入力とし、前記記憶・選択・制御ステップから出力する前記第２の復調部への前記１つもしくは複数の異なる復調パラメータと伝送品質評価値とを対として記憶し、記憶した前記１つもしくは複数の異なる復調パラメータの中から伝送品質評価値が最も良くなる復調パラメータを選択し、前記第１の復調部へ与える前記記憶・選択・制御ステップとを備え、
動的に前記第１の復調部の復調パラメータを最適にする
ことを特徴とする復調方法。
【請求項９】
複数の復調部を持ち、
ディジタル変調信号と、記憶・選択・制御ステップの出力する１つもしくは複数の異なる復調パラメータを入力とする前記複数の復調部の中の第１の復調部と、
前記ディジタル変調信号と、前記記憶・選択・制御ステップの出力する１つもしくは複数の異なる復調パラメータを入力とする前記複数の復調部の中の第２の復調部と、
ユーザが受信チャンネルを選択する選局部と、
前記選局部の出力と、前記第２の復調部が出力する１つもしくは複数の異なる伝送品質評価値を入力とし、前記記憶・選択・制御ステップから出力する前記第２の復調部への前記１つもしくは複数の異なる復調パラメータと伝送品質評価値とを対として記憶し、チャンネル選局時に、記憶した前記１つもしくは複数の異なる復調パラメータの中から伝送品質評価値が最も良くなる復調パラメータを選択し、前記第１の復調部へ与える前記記憶・選択・制御ステップとを備え、
チャンネル選局時に前記第１の復調部の復調パラメータを最適にする
ことを特徴とする復調方法。
【請求項１０】
複数の復調部を持ち、
ディジタル変調信号と、記憶・選択・制御ステップの出力する１つもしくは複数の異なる復調パラメータを入力とする前記複数の復調部の中の第１の復調部と、
前記ディジタル変調信号と、前記記憶・選択・制御ステップの出力する１つもしくは複数の異なる復調パラメータを入力とする前記複数の復調部の中の第２の復調部と、
ユーザが受信チャンネルを選択する選局部と、
前記選局部の出力と、前記記憶・選択・制御ステップの出力する１つもしくは複数の異なる復調パラメータと、前記第２の復調部の出力する同期検出信号とを入力とし、前記１つもしくは複数の異なる復調パラメータが切り換わってから同期するまので時間を測定する同期引き込み測定ステップと、
前記第１の復調部が出力する同期検出信号と、前記同期引き込み測定ステップが出力する同期引き込み時間と、前記第２の復調部が出力する１つもしくは複数の異なる伝送品質評価値とを入力とし、前記記憶・選択・制御ステップから出力する前記第２の復調部への前記１つもしくは複数の異なる復調パラメータと同期引き込み時間とを対として記憶するのと合わせて、前記記憶・選択・制御ステップから出力する前記第２の復調部への前記１つもしくは複数の異なる復調パラメータと伝送品質評価値とを対として記憶し、チャンネル選局時に、記憶した前記１つもしくは複数の異なる復調パラメータの中から同期引き込み時間が最も短くなる復調パラメータを選択し、前記第１の復調部の同期が確立した後、記憶した前記１つもしくは複数の異なる復調パラメータの中から伝送品質評価値が最も良くなる復調パラメータを選択し、前記第１の復調部へ与える前記記憶・選択・制御ステップとを備え、
動的に前記第１の復調部の復調パラメータを最適にする
ことを特徴とする復調方法。
【請求項１１】
複数の復調部を持ち、
受信チャンネルを選択する選局部と、
前記選局部の出力を入力として復調パラメータとデコード制御信号を出力する制御部と、
ディジタル変調信号と前記選局部の出力とを入力とし復調、誤り訂正の処理を行う前記複数の復調部の中の第１の復調部と、
前記ディジタル変調信号と前記制御部から出力される１つもしくは複数の異なる復調パラメータとを入力とし復調、誤り訂正の処理を行う前記複数の復調部の中の第２の復調部と、
前記第１の復調部のＴＳ（Ｔｒａｎｓｐｏｒｔ  Ｓｔｒｅａｍ）出力を入力とし映像・音声・データに分離、デコードを行う第１のデコーダ部と、
前記第２の復調部のＴＳ出力と前記制御部から出力されるデコード制御信号と記憶部の出力とを入力とし映像・音声・データに分離、デコードを行う第２のデコーダ部と、
前記第２のデコーダ部から出力されるＴＳから抽出された中間情報を入力として記憶する前記記憶部と、
前記第１のデコーダ部の出力と前記第２のデコーダ部の出力と前期制御部のデコード制御信号とを入力とし映像・音声・データを選択し出力する選択部とを備え、
前記第１の復調部ではある特定の１チャンネルを受信しつつ、前記第２の復調部および前記第２のデコーダ部および前期記憶部では前記第１の復調部が受信している前記ある特定の１チャンネルの情報、かつ／または、前記ある特定の１チャンネル以外のチャンネルの情報を予め抽出し記憶しておき、前記ある特定の１チャンネル以外の情報が必要になった場合に直ちに前記記憶した情報から取り出す
ことを特徴とする復調装置。
【請求項１２】
請求項１１において、
前記第２の復調部および前記第２のデコーダ部および前期記憶部が、チャンネル中から抽出した１つまたは複数の静止画、かつ／または動画、かつ／または音声、かつ／またはデータを記憶し、複数チャンネルのダイジェストを作成する場合に、前記記憶部に予め記憶された情報から直ちに取り出し出力する
ことを特徴とする復調装置。
【請求項１３】
請求項１１において、
前記第２の復調部および前記第２のデコーダ部および前期記憶部が、チャンネル中から抽出した１つまたは複数の静止画、かつ／または動画、かつ／または音声、かつ／またはデータを記憶し、
前記第１の復調部と前記第１のデコーダ部が同一チャンネルまたは異なるチャンネルを再選局する場合に、前記第１の復調部と前記第１のデコーダ部の出力が安定するまでの間、前記記憶部に予め記憶された情報から再選局先のチャンネルの情報を取り出し出力する
ことを特徴とする復調装置。
【請求項１４】
複数の復調部を持ち、
ディジタル変調信号と制御部の第１の復調パラメータ出力とを入力とし復調、誤り訂正の処理を行う前記複数の復調部の中の第１の復調部と、
前記ディジタル変調信号と前記制御部の第２の復調パラメータ出力とを入力とし復調、誤り訂正の処理を行う前記複数の復調部の中の第２の復調部と、
前記第１の復調部の受信特性を変更するための前記第１の復調パラメータと前記第２の復調部の受信特性を変更するための前記第２の復調パラメータとを出力する制御部と、
前記第１の復調部のＴＳ出力と前記第２の復調部のＴＳ出力とを入力とし入力されたＴＳから映像パケットと音声パケットとデータパケットに分離処理するＴＳパケット処理部とを備え、
受信チャネルが１つの場合、前記制御部から出力される第１の復調パラメータによって第１の復調部の復調特性をビットエラーレート特性重視型とし、前記制御部から出力される第２の復調パラメータによって第２の復調部の復調特性をデジタル変調信号の変化への追従特性重視型に制御し、さらに、前記ＴＳパケット処理部において２つのＴＳ入力のうちパケットの内容から片方のＴＳパケットを選択する
ことを特徴とする復調装置。
【請求項１５】
請求項１４において、
前記ＴＳパケット処理部が、２つのＴＳ入力のパケットエラーインジケータをモニターし、片方のパケットにパケットエラーがある場合はパケットエラーのない方を１つ選択し、両方にパケットエラーがある場合は前記第１の復調部のＴＳ出力を１つ選択する
ことを特徴とする復調装置。
【請求項１６】
複数の復調部を持ち、
ディジタル変調信号と制御部の第１の復調パラメータ出力とを入力とし復調、誤り訂正の処理を行う前記複数の復調部の中の第１の復調部と、
前記ディジタル変調信号と前記制御部の第２の復調パラメータ出力とを入力とし復調、誤り訂正の処理を行う前記複数の復調部の中の第２の復調部と、
前記第１の復調部の伝送品質評価値の出力と前記第２の復調部の伝送品質評価値の出力を入力とし前記第１の復調部の受信特性を変更するための第１の復調パラメータと前記第２の復調部の受信特性を変更するための第２の復調パラメータとＴＳパケット処理部へのＴＳパケット選択制御信号を出力する制御部と、
前記第１の復調部のＴＳ出力と前記第２の復調部のＴＳ出力と前記制御部のＴＳパケット選択制御信号を入力とし入力されたＴＳから映像パケットと音声パケットとデータパケットに分離処理を行うＴＳパケット処理部とを備え、
受信チャネルが１つの場合、前記制御部によって第１の復調部の復調特性をビットエラーレート特性重視型とし、第２の復調部の復調特性をデジタル変調信号の変化への追従特性重視型に制御し、さらに、前記ＴＳパケット処理部において２つのＴＳ入力のうちパケットエラーがないもしくは伝送品質評価値が良い方を動的に選択して処理する
ことを特徴とする復調装置。
【請求項１７】
複数の復調部を持ち、
ディジタル変調信号と制御部の第１の制御出力を入力とし復調、誤り訂正の処理を行う前記複数の復調部の中の第１の復調部と、
前記ディジタル変調信号と前記制御部の第２の制御出力を入力とし復調、誤り訂正の処理を行う前記複数の復調部の中の第２の復調部と、
前記第１の復調部の動作を制御するための第１の制御信号と前記第２の復調部の動作を制御するための第２の制御信号とＴＳパケット選択制御信号とを出力する前記制御部と、
前記第１の復調部のＴＳ出力と前記第２の復調部のＴＳ出力と前記制御部のＴＳパケット選択制御信号とを入力とし入力されたＴＳから映像パケットと音声パケットとデータパケットに分離処理するＴＳパケット処理部とを備え、
前記２つの復調部の一方しか使用しない場合、復調部の使用頻度が一方に偏らないように前記制御部が前記２つの復調部の動作を動的に切り替える
ことを特徴とする復調装置。
【請求項１８】
複数の復調部を持ち、
ディジタル変調信号と制御部の第１の制御出力を入力とし復調、誤り訂正の処理を行う前記複数の復調部の中の第１の復調部と、
前記ディジタル変調信号と前記制御部の第２の制御出力を入力とし復調、誤り訂正の処理を行う前記複数の復調部の中の第２の復調部と、
前記第１の復調部の動作を制御するための第１の制御信号と前記第２の復調部の動作を制御するための第２の制御信号とを出力する前記制御部と、
前記第１の復調部のＴＳ出力と前記第２の復調部のＴＳ出力とを入力とし入力されたＴＳから映像パケットと音声パケットとデータパケットに分離処理するＴＳパケット処理部とを備え、
前記２つの復調部の一方しか使用しない場合、復調部の使用頻度が一方に偏らないように前記制御部が前記２つの復調部の動作を動的に切り替え、さらに前記ＴＳパケット処理部が、前記ＴＳパケット処理部へ入力される２つのＴＳをモニターし信号が実際に入力されている方のＴＳパケットを１つ選択する
ことを特徴とする復調装置。
【請求項１９】
請求項１７または請求項１８において、
前記制御部が、前記２つの復調部の動作を切り替える時、使用しない方の復調部をパワーダウン、かつ／または、クロック停止、かつ／または、前記復調部への入力信号を一定値に固定することで前記使用しないほうの復調部の動作を停止させる
ことを特徴とする復調装置。
【請求項２０】
請求項１７または請求項１８において、
前記制御部が、前記２つの復調部の動作を、ある一定の周期、かつ／または、再選局時、かつ／または、電源投入時に切り替える
ことを特徴とする復調装置。
【発明の詳細な説明】
【０００１】
【発明の属する技術分野】
本発明は復調装置および方法に関し、特に、ディジタル変調された信号を複数の復調部を用いた構成により、復調部のアルゴリズムを最適化する装置および方法に関する。
【０００２】
【従来の技術】
近年、ディジタル通信技術と半導体集積技術の進歩に伴い、テレビ放送のディジタル化が進められている。その中で、ディジタル放送に用いられるディジタル変調された搬送波を復調する場合、復調パラメータを伝送品質に合わせて設定する必要があり、事前に想定していない伝送路における伝送品質においても、伝送品質に追従して復調パラメータを最適化することが重要な課題となっている。
【０００３】
伝送品質により、復調回路を制御する装置の一例として、特開平０７−３０４５２号に記載されたものが知られている。概公報記載の受信回路では、能動素子を含む能動回路であって、受信信号の処理に係るものと、受信信号に基づいて受信機の受信状態を検出する検出回路と、能動回路のバイアス制御を行うバイアス制御回路と、を備える。
【０００４】
【特許文献１】
特開平７−３０４５２号公報
【０００５】
【発明が解決しようとする課題】
しかし、この従来の回路では、受信状態によって、能動回路のバイアス制御を行うものであって、能動回路における消費電力を低減させる目的であり、伝送品質によっては、受信状態が著しく劣化することが考えられる。
【０００６】
本発明は上記状況に鑑みてなされたものであり、複数の復調部を持つ復調装置のうちのある復調装置において、現在の伝送路に最適な伝送品質となるような復調パラメータを探索、記憶し、別の復調装置に与えることで、動的に伝送品質に合わせた復調パラメータを復調装置に与えることが可能な復調装置及び方法を提供することを目的とする。
【０００７】
【課題を解決するための手段】
本発明の請求項１に係る復調装置は、
複数の復調部を持ち、
ディジタル変調信号と、記憶・選択・制御部の出力する１つもしくは複数の異なる復調パラメータを入力とする前記複数の復調部の中の第１の復調部と、
前記ディジタル変調信号と、前記記憶・選択・制御部の出力する１つもしくは複数の異なる復調パラメータを入力とする前記複数の復調部の中の第２の復調部と、
前記第２の復調部が出力する１つもしくは複数の異なる伝送品質評価値を入力とし、前記記憶・選択・制御部から出力する前記第２の復調部への前記１つもしくは複数の異なる復調パラメータと伝送品質評価値とを対として記憶し、記憶した前記１つもしくは複数の異なる復調パラメータの中から伝送品質評価値が最も良くなる復調パラメータを選択し、前記第１の復調部へ与える前記記憶・選択・制御部とを備え、
動的に前記第１の復調部の復調パラメータを最適にする、
ことを特徴とするものである。
【０００８】
本発明の請求項２に係る復調装置は、
複数の復調部を持ち、
ディジタル変調信号と、記憶・選択・制御部の出力する１つもしくは複数の異なる復調パラメータを入力とする前記複数の復調部の中の第１の復調部と、
前記ディジタル変調信号と、前記記憶・選択・制御部の出力する１つもしくは複数の異なる復調パラメータを入力とする前記複数の復調部の中の第２の復調部と、
ユーザが受信チャンネルを選択する選局部と、
前記選局部の出力と、前記第２の復調部が出力する１つもしくは複数の異なる伝送品質評価値を入力とし、前記記憶・選択・制御部から出力する前記第２の復調部への前記１つもしくは複数の異なる復調パラメータと伝送品質評価値とを対として記憶し、
チャンネル選局時に、記憶した前記１つもしくは複数の異なる復調パラメータの中から伝送品質評価値が最も良くなる復調パラメータを選択し、前記第１の復調部へ与える前記記憶・選択・制御部とを備え、
チャンネル選局時に前記第１の復調部の復調パラメータを最適にする、
ことを特徴とするものである。
【０００９】
本発明の請求項３に係る復調装置は、
複数の復調部を持ち、
ディジタル変調信号と、記憶・選択・制御部の出力する１つもしくは複数の異なる復調パラメータを入力とする前記複数の復調部の中の第１の復調部と、
前記ディジタル変調信号と、前記記憶・選択・制御部の出力する１つもしくは複数の異なる復調パラメータを入力とする前記複数の復調部の中の第２の復調部と、
ユーザが受信チャンネルを選択する選局部と、
前記選局部の出力と、前記記憶・選択・制御部の出力する１つもしくは複数の異なる復調パラメータと、前記第２の復調部の出力する同期検出信号とを入力とし、前記１つもしくは複数の異なる復調パラメータが切り換わってから同期するまので時間を測定する同期引き込み測定部と、
前記第１の復調部が出力する同期検出信号と、
前記同期引き込み測定部が出力する同期引き込み時間と、前記第２の復調部が出力する１つもしくは複数の異なる伝送品質評価値とを入力とし、前記記憶・選択・制御部から出力する前記第２の復調部への前記１つもしくは複数の異なる復調パラメータと同期引き込み時間とを対として記憶するのと合わせて、前記記憶・選択・制御部から出力する前記第２の復調部への前記１つもしくは複数の異なる復調パラメータと伝送品質評価値とを対として記憶し、チャンネル選局時に、記憶した前記１つもしくは複数の異なる復調パラメータの中から同期引き込み時間が最も短くなる復調パラメータを選択し、前記第１の復調部の同期が確立した後、記憶した前記１つもしくは複数の異なる復調パラメータの中から伝送品質評価値が最も良くなる復調パラメータを選択し、前記第１の復調部へ与える前記記憶・選択・制御部とを備え、
動的に前記第１の復調部の復調パラメータを最適にする、
ことを特徴とするものである。
【００１０】
本発明の請求項４に係る復調装置は、請求項１、２、３記載の復調装置において、
前記記憶・選択・制御部は
前記第２の復調部より通常出力を出力する場合、前記第２の復調部への復調パラメータ出力を停止し、伝送品質評価値が最も良くなる１つもしくは複数の異なる復調パラメータを前記第２の復調部へ与える、
ことを特徴とするものである。
【００１１】
本発明の請求項５に係る復調装置は、請求項１、２、３記載の復調装置において、
前記記憶・選択・制御部は、
前記第２の復調部へ復調パラメータを更新し、前記第２の復調部が出力する伝送品質評価値を記憶することで、一つもしくは複数の異なるチャンネルについてあらかじめ最新最適復調パラメータを更新保持し続ける、
ことを特徴とするものである。
【００１２】
本発明の請求項６に係る復調装置は、請求項１、２、３記載の復調装置において、
前記記憶・選択・制御部は、
前記記憶・選択・制御部の出力する１つもしくは複数の異なる復調パラメータに優先順位をつけ、優先順位の高い前記１つもしくは複数の異なる復調パラメータから前記第２の復調部へ与える、
ことを特徴とするものである。
【００１３】
本発明の請求項７に係る復調装置は、請求項１、２、３記載の復調装置において、
前記記憶・選択・制御部は、
前記第２の復調部の出力する複数の異なる伝送品質評価値を入力とし、複数の異なる伝送品質評価値の中から前記伝送品質評価値での感度が最もよい伝送品質評価値を基準に伝送品質を判断する、
ことを特徴とするものである。
【００１４】
本発明の請求項８に係る復調方法は、
複数の復調部を持ち、
ディジタル変調信号と、記憶・選択・制御ステップの出力する１つもしくは複数の異なる復調パラメータを入力とする前記複数の復調部の中の第１の復調部と、
前記ディジタル変調信号と、前記記憶・選択・制御ステップの出力する１つもしくは複数の異なる復調パラメータを入力とする前記複数の復調部の中の第２の復調部と、
前記第２の復調部が出力する１つもしくは複数の異なる伝送品質評価値を入力とし、前記記憶・選択・制御ステップから出力する前記第２の復調部への前記１つもしくは複数の異なる復調パラメータと伝送品質評価値とを対として記憶し、記憶した前記１つもしくは複数の異なる復調パラメータの中から伝送品質評価値が最も良くなる復調パラメータを選択し、前記第１の復調部へ与える前記記憶・選択・制御ステップとを備え、
動的に前記第１の復調部の復調パラメータを最適にする、
ことを特徴とするものである。
【００１５】
本発明の請求項９に係る復調方法は、
複数の復調部を持ち、
ディジタル変調信号と、記憶・選択・制御ステップの出力する１つもしくは複数の異なる復調パラメータを入力とする前記複数の復調部の中の第１の復調部と、
前記ディジタル変調信号と、前記記憶・選択・制御ステップの出力する１つもしくは複数の異なる復調パラメータを入力とする前記複数の復調部の中の第２の復調部と、
ユーザが受信チャンネルを選択する選局部と、
前記選局部の出力と、前記第２の復調部が出力する１つもしくは複数の異なる伝送品質評価値を入力とし、前記記憶・選択・制御ステップから出力する前記第２の復調部への前記１つもしくは複数の異なる復調パラメータと伝送品質評価値とを対として記憶し、チャンネル選局時に、記憶した前記１つもしくは複数の異なる復調パラメータの中から伝送品質評価値が最も良くなる復調パラメータを選択し、前記第１の復調部へ与える前記記憶・選択・制御ステップとを備え、
チャンネル選局時に前記第１の復調部の復調パラメータを最適にする、
ことを特徴とするものである。
【００１６】
本発明の請求項１０に係る復調方法は、
複数の復調部を持ち、
ディジタル変調信号と、記憶・選択・制御ステップの出力する１つもしくは複数の異なる復調パラメータを入力とする前記複数の復調部の中の第１の復調部と、
前記ディジタル変調信号と、前記記憶・選択・制御ステップの出力する１つもしくは複数の異なる復調パラメータを入力とする前記複数の復調部の中の第２の復調部と、
ユーザが受信チャンネルを選択する選局部と、
前記選局部の出力と、前記記憶・選択・制御ステップの出力する１つもしくは複数の異なる復調パラメータと、前記第２の復調部の出力する同期検出信号とを入力とし、前記１つもしくは複数の異なる復調パラメータが切り換わってから同期するまので時間を測定する同期引き込み測定ステップと、
前記第１の復調部が出力する同期検出信号と、
前記同期引き込み測定ステップが出力する同期引き込み時間と、前記第２の復調部が出力する１つもしくは複数の異なる伝送品質評価値とを入力とし、前記記憶・選択・制御ステップから出力する前記第２の復調部への前記１つもしくは複数の異なる復調パラメータと同期引き込み時間とを対として記憶するのと合わせて、前記記憶・選択・制御ステップから出力する前記第２の復調部への前記１つもしくは複数の異なる復調パラメータと伝送品質評価値とを対として記憶し、チャンネル選局時に、記憶した前記１つもしくは複数の異なる復調パラメータの中から同期引き込み時間が最も短くなる復調パラメータを選択し、前記第１の復調部の同期が確立した後、記憶した前記１つもしくは複数の異なる復調パラメータの中から伝送品質評価値が最も良くなる復調パラメータを選択し、前記第１の復調部へ与える前記記憶・選択・制御ステップとを備え、
動的に前記第１の復調部の復調パラメータを最適にする、
ことを特徴とするものである。
【００１７】
本発明の請求項１１に係る復調装置は、
複数の復調部を持ち、
受信チャンネルを選択する選局部と、
前記選局部の出力を入力として復調パラメータとデコード制御信号を出力する制御部と、
ディジタル変調信号と前記選局部の出力とを入力とし復調、誤り訂正の処理を行う前記複数の復調部の中の第１の復調部と、
前記ディジタル変調信号と前記制御部から出力される１つもしくは複数の異なる復調パラメータとを入力とし復調、誤り訂正の処理を行う前記複数の復調部の中の第２の復調部と、
前記第１の復調部のＴＳ（ＴｒａｎｓｐｏｒｔＳｔｒｅａｍ）出力を入力とし映像・音声・データに分離、デコードを行う第１のデコーダ部と、
前記第２の復調部のＴＳ出力と前記制御部から出力されるデコード制御信号と記憶部の出力とを入力とし映像・音声・データに分離、デコードを行う第２のデコーダ部と、
前記第２のデコーダ部から出力されるＴＳから抽出された中間情報を入力として記憶する前記記憶部と、
前記第１のデコーダ部の出力と前記第２のデコーダ部の出力と前期制御部のデコード制御信号とを入力とし映像・音声・データを選択し出力する選択部とを備え、
前記第１の復調部ではある特定の１チャンネルを受信しつつ、前記第２の復調部および前記第２のデコーダ部および前期記憶部では前記第１の復調部が受信している前記ある特定の１チャンネルの情報、かつ／または、前記ある特定の１チャンネル以外のチャンネルの情報を予め抽出し記憶しておき、前記ある特定の１チャンネル以外の情報が必要になった場合に直ちに前記記憶した情報から取り出す、
ことを特徴とするものである。
【００１８】
本発明の請求項１２に係る復調装置は、請求項１１記載の復調装置において、
前記第２の復調部および前記第２のデコーダ部および前期記憶部が、チャンネル中から抽出した１つまたは複数の静止画、かつ／または動画、かつ／または音声、かつ／またはデータを記憶し、複数チャンネルのダイジェストを作成する場合に、前記記憶部に予め記憶された情報から直ちに取り出し出力する、
ことを特徴とするものである。
【００１９】
本発明の請求項１３に係る復調装置は、請求項１１記載の復調装置において、
前記第２の復調部および前記第２のデコーダ部および前期記憶部が、チャンネル中から抽出した１つまたは複数の静止画、かつ／または動画、かつ／または音声、かつ／またはデータを記憶し、前記第１の復調部と前記第１のデコーダ部が同一チャンネルまたは異なるチャンネルを再選局する場合に、前記第１の復調部と前記第１のデコーダ部の出力が安定するまでの間、前記記憶部に予め記憶された情報から再選局先のチャンネルの情報を取り出し出力する、
ことを特徴とするものである。
【００２０】
本発明の請求項１４に係る復調装置は、
複数の復調部を持ち、
ディジタル変調信号と制御部の第１の復調パラメータ出力とを入力とし復調、誤り訂正の処理を行う前記複数の復調部の中の第１の復調部と、
前記ディジタル変調信号と前記制御部の第２の復調パラメータ出力とを入力とし復調、誤り訂正の処理を行う前記複数の復調部の中の第２の復調部と、
前記第１の復調部の受信特性を変更するための前記第１の復調パラメータと前記第２の復調部の受信特性を変更するための前記第２の復調パラメータとを出力する制御部と、
前記第１の復調部のＴＳ出力と前記第２の復調部のＴＳ出力とを入力とし入力されたＴＳから映像パケットと音声パケットとデータパケットに分離処理するＴＳパケット処理部とを備え、
受信チャネルが１つの場合、前記制御部から出力される第１の復調パラメータによって第１の復調部の復調特性をビットエラーレート特性重視型とし、前記制御部から出力される第２の復調パラメータによって第２の復調部の復調特性をデジタル変調信号の変化への追従特性重視型に制御することを特徴とし、さらに、前記ＴＳパケット処理部において２つのＴＳ入力のうちパケットの内容から片方のＴＳパケットを選択する、
ことを特徴とするものである。
【００２１】
本発明の請求項１５に係る復調装置は、請求項１４記載の復調装置において、
前記ＴＳパケット処理部が、２つのＴＳ入力のパケットエラーインジケータをモニターし、片方のパケットにパケットエラーがある場合はパケットエラーのない方を１つ選択し、両方にパケットエラーがある場合は前記第１の復調部のＴＳ出力を１つ選択する、
ことを特徴とするものである。
【００２２】
本発明の請求項１６に係る復調装置は、
複数の復調部を持ち、
ディジタル変調信号と制御部の第１の復調パラメータ出力とを入力とし復調、誤り訂正の処理を行う前記複数の復調部の中の第１の復調部と、
前記ディジタル変調信号と前記制御部の第２の復調パラメータ出力とを入力とし復調、誤り訂正の処理を行う前記複数の復調部の中の第２の復調部と、
前記第１の復調部の伝送品質評価値の出力と前記第２の復調部の伝送品質評価値の出力を入力とし前記第１の復調部の受信特性を変更するための第１の復調パラメータと前記第２の復調部の受信特性を変更するための第２の復調パラメータとＴＳパケット処理部へのＴＳパケット選択制御信号を出力する制御部と、
前記第１の復調部のＴＳ出力と前記第２の復調部のＴＳ出力と前記制御部のＴＳパケット選択制御信号を入力とし入力されたＴＳから映像パケットと音声パケットとデータパケットに分離処理を行うＴＳパケット処理部とを備え、
受信チャネルが１つの場合、前記制御部によって第１の復調部の復調特性をビットエラーレート特性重視型とし、第２の復調部の復調特性をデジタル変調信号の変化への追従特性重視型に制御することを特徴とし、さらに、前記ＴＳパケット処理部において２つのＴＳ入力のうちパケットエラーがないもしくは伝送品質評価値が良い方を動的に選択して処理する、
ことを特徴とするものである。
【００２３】
本発明の請求項１７に係る復調装置は、
複数の復調部を持ち、
ディジタル変調信号と制御部の第１の制御出力を入力とし復調、誤り訂正の処理を行う前記複数の復調部の中の第１の復調部と、
前記ディジタル変調信号と前記制御部の第２の制御出力を入力とし復調、誤り訂正の処理を行う前記複数の復調部の中の第２の復調部と、
前記第１の復調部の動作を制御するための第１の制御信号と前記第２の復調部の動作を制御するための第２の制御信号とＴＳパケット選択制御信号とを出力する前記制御部と、
前記第１の復調部のＴＳ出力と前記第２の復調部のＴＳ出力と前記制御部のＴＳパケット選択制御信号とを入力とし入力されたＴＳから映像パケットと音声パケットとデータパケットに分離処理するＴＳパケット処理部とを備え、
前記２つの復調部の一方しか使用しない場合、復調部の使用頻度が一方に偏らないように前記制御部が前記２つの復調部の動作を動的に切り替える、
ことを特徴とするものである。
【００２４】
本発明の請求項１８に係る復調装置は、
複数の復調部を持ち、
ディジタル変調信号と制御部の第１の制御出力を入力とし復調、誤り訂正の処理を行う前記複数の復調部の中の第１の復調部と、
前記ディジタル変調信号と前記制御部の第２の制御出力を入力とし復調、誤り訂正の処理を行う前記複数の復調部の中の第２の復調部と、
前記第１の復調部の動作を制御するための第１の制御信号と前記第２の復調部の動作を制御するための第２の制御信号とを出力する前記制御部と、
前記第１の復調部のＴＳ出力と前記第２の復調部のＴＳ出力とを入力とし入力されたＴＳから映像パケットと音声パケットとデータパケットに分離処理するＴＳパケット処理部とを備え、
前記２つの復調部の一方しか使用しない場合、復調部の使用頻度が一方に偏らないように前記制御部が前記２つの復調部の動作を動的に切り替え、さらに前記ＴＳパケット処理部が、前記ＴＳパケット処理部へ入力される２つのＴＳをモニターし信号が実際に入力されている方のＴＳパケットを１つ選択する、
ことを特徴とするものである。
【００２５】
本発明の請求項１９に係る復調装置は、請求項１７、１８記載の復調装置において、
前記制御部が、前記２つの制御部の動作を切り替える時、使用しない方の復調部をパワーダウン、かつ／または、クロック停止、かつ／または、前記復調部への入力信号を一定値に固定することで前記使用しないほうの復調部の動作を停止させる、
ことを特徴とするものである。
【００２６】
本発明の請求項２０に係る復調装置は、請求項１７、１８記載の復調装置において、
前記制御部が、前記２つの制御部の動作を、ある一定の周期、かつ／または、再選局時、かつ／または、電源投入時に切り替える、
ことを特徴とするものである。
【００２７】
【発明の実施の形態】
以下、本発明の実施の形態について図面を参照しながら説明する。
【００２８】
（第１の実施形態）
図１は第１の実施形態による復調装置の全体構成図である。
【００２９】
図１において、１はディジタル変調信号、２は通常出力、３は第１の復調パラメータ、４は第２の復調部パラメータ、９は伝送品質評価値、２０１は第１の復調部、２０２は第２の復調部、６０１は記憶・選択・制御部、である。
【００３０】
以上のように構成された復調装置について、以下図１を用いてその動作を説明する。
【００３１】
ディジタル変調信号１は第１の復調部２０１と第２の復調部２０２とに入力される。第１の復調部２０１は受信チャンネルを復調し、その復調結果である通常出力２を出力する。第２の復調部２０２は、記憶・選択・制御部６０１から出力される第２の復調パラメータ４によって復調特性、受信チャンネルを変更、更新し、その更新、変更された結果に基づく伝送品質評価値９を記憶・選択・制御部６０１へ出力する。記憶・選択・制御部６０１では、復調パラメータ４と伝送品質評価値９とを対にして記憶し、その記憶した中からもっとも伝送品質評価値が高い復調パラメータ４と同じものを復調パラメータ３として第１の復調部２０１へ与える。
【００３２】
次に、記憶・選択・制御部６０１において、いかに第１の復調部２０１へ与える復調パラメータ３が最適となるように選択されるかについて説明する。
【００３３】
記憶・選択・制御部６０１では、第２の復調部２０２へ復調特性を変化させるように第２の復調パラメータ４の値（自動搬送波再生ループフィルタ値及び係数値、自動周波数誤差除去ループフィルタ値及び係数値、位相誤差除去ループフィルタ値及び係数値、自動利得制御ループフィルタ値及び係数値、選局周波数値）を変化させ、その時の伝送品質評価値９（復調後誤り率、ビタビ復号後誤り率、トレリス復号後誤り率、リードソロモン後誤り率、振幅誤差、位相誤差、周波数誤差、自動利得制御値）と第２の復調パラメータ４を対として記憶する。その後、再度第２の復調パラメータ４の値を別の値に変化させ、その時の伝送品質評価値９と第２の復調パラメータ４を対として記憶する。以上の動作をある一定もしくは可変のレートで繰り返し行い、伝送品質評価値９が最も良くなる第２の復調パラメータ４を探索する。その後、第２の復調部２０２の伝送品質評価値９が最も良くなる第２の復調パラメータ４と同じものを第１の復調パラメータ３として第１の復調部２０１へ与えることで第１の復調部２０１の伝送品質を常に最適とすることができる。
【００３４】
（第２の実施形態）
図２は、第２の実施形態による復調装置の全体構成図である。
【００３５】
図２において、１はディジタル変調信号、２は通常出力、３は第１の復調パラメータ、４は第２の復調パラメータ、９は伝送品質評価値、１０は受信チャンネル信号、２０１は第１の復調部、２０２は第２の復調部、６０１は記憶・選択・制御部、７０１は選局部である。
【００３６】
以上のように構成された復調装置について、以下図２を用いてその動作を説明する。
【００３７】
ディジタル変調信号１は第１の復調部２０１と第２の復調部２０２へ入力される。第１の復調部２０１では受信チャンネルを復調し、その復調結果である通常出力２が出力される。第２の復調部２０２では、記憶・選択・制御部６０１から出力される第２の復調パラメータ４によって復調特性、受信チャンネルが変更、更新され、その更新、変更された結果に基づく伝送品質評価値９を記憶・選択・制御部６０１へ出力する。記憶・選択・制御部６０１では、第２の復調パラメータ４と伝送品質評価値９を対として記憶し、その記憶した中からもっとも伝送品質評価値が高い第２の復調パラメータ４と同じものを、選局部７０１より第１の復調部２０１の受信チャンネル変更指示があった場合に、第１の復調パラメータ３として第１の復調部２０１へ与える。
【００３８】
次に、記憶・選択・制御部６０１において、いかに第１の復調部２０１へ与える第１の復調パラメータ３が最適となるように選択されるかについて説明する。
【００３９】
記憶・選択・制御部６０１では第２の復調部２０２へ復調特性を変化させるように第２の復調パラメータ４の値（自動搬送波再生ループフィルタ値及び係数値、自動周波数誤差除去ループフィルタ値及び係数値、位相誤差除去ループフィルタ値及び係数値、自動利得制御ループフィルタ値及び係数値、選局周波数値）を変化させ、その時の伝送品質評価値９（復調後誤り率、ビタビ復号後誤り率、トレリス復号後誤り率、リードソロモン後誤り率、振幅誤差、位相誤差、周波数誤差、自動利得制御値）と第２の復調パラメータ４を対として記憶する。その後、再度第２の復調パラメータ４の値を別の値に変化させ、その時の伝送品質評価値９と第２の復調パラメータ４を対として記憶する。以上の動作をある一定もしくは可変のレートで繰り返し行い、伝送品質評価値９が最も良くなる第２の復調パラメータ４を探索する。探索期間中に、選局部７０１より出力される受信チャンネル信号１０により第１の復調部２０１の受信チャンネルが変更される場合、第１の復調部２０１の受信チャンネル変更と同時に、第２の復調部伝送品質評価値９が最も良くなる第２の復調パラメータ４と同じものを第１の復調パラメータ３として第１の復調部２０１へ与えることで、第１の復調部２０１の伝送品質を常に最適とすることができる。
【００４０】
（第３の実施形態）
図３は第３の実施形態による復調装置の全体構成図である。
【００４１】
図３において、１はディジタル変調信号、２は通常出力、３は第１の復調パラメータ、４は第２の復調パラメータ、９は伝送品質評価値、１０は受信チャンネル信号、１３は同期検出信号、１４は同期検出信号、１５は同期引き込み時間、２０１は第１の復調部、２０２は第２の復調部、６０１は記憶・選択・制御部、７０１は選局部、９０１は同期引き込み時間測定部である。
【００４２】
以上のように構成された復調装置について、以下図３を用いてその動作を説明する。
【００４３】
ディジタル変調信号１は第１の復調部２０１と第２の復調部２０２へ入力される。第１の復調部２０１では受信チャンネルを復調し、その復調結果である通常出力２が出力される。第２の復調部２０２では、記憶・選択・制御部６０１から出力される第２の復調パラメータ４（自動搬送波再生ループフィルタ値及び係数値、自動周波数誤差除去ループフィルタ値及び係数値、位相誤差除去ループフィルタ値及び係数値、自動利得制御ループフィルタ値及び係数値、選局周波数値）によって復調特性、受信チャンネルが変更、更新され、その更新、変更された結果に基づく伝送品質評価値９（復調後誤り率、ビタビ復号後誤り率、トレリス復号後誤り率、リードソロモン後誤り率、振幅誤差、位相誤差、周波数誤差、自動利得制御値）と、更新されてから第２の復調部より同期検出信号１４が出力されるまでの時間を同期引き込み時間測定部９０１で測定し、同期引き込み時間１５として、記憶・選択・制御部６０１へ出力する。記憶・選択・制御部６０１では、第２の復調パラメータ４と伝送品質評価値９を対として記憶するのとあわせて、第２の復調パラメータ４と同期引き込み時間１５を対として記憶する。次に、第２の復調パラメータ４を変更、更新し、上記の動作を一定もしくは可変のレートで繰り返す。これを全受信チャンネルに対して実施する。その後、選局部７０１より出力される受信チャンネル信号１０により第１の復調部２０１に受信チャンネル変更指示があった場合、その受信チャンネルに対して、最も同期引き込み時間１５が短くなる復調パラメータ４と同じ値である復調パラメータ３を出力する。つぎに、第１の復調部２０１より同期検出信号１３が出力されたのを確認し、伝送品質値９が最もよくなる復調パラメータ４と同じ値である復調パラメータ３を出力する。こうすることで、チャンネル選局時に、同期引き込み時間が早く、同期後は伝送品質の良い復調を第１の復調部２０１で実現することができる。
【００４４】
（第４の実施形態）
図４は第４の実施形態による復調装置の全体構成図である。
【００４５】
図４において、１はディジタル変調信号、４は第２の復調パラメータ、１０は受信チャンネル信号、１１はデコード制御信号、２０はＴＳ出力、２１はＴＳ出力、２２は映像・音声・データ出力、２３は映像・音声・データ出力、２４は選択部出力、２０１は復調部、２０２は復調部、３０１はデコーダ部、３０２はデコーダ部、４０１は選択部、５０１は記憶部、６０３は制御部、７０１は選局部、である。
【００４６】
以上のように構成された復調装置について、以下図４を用いてその動作を説明する。
【００４７】
ディジタル変調信号１は復調部２０１と復調部２０２へと入力される。復調部２０１では選局部７０１によって指示される受信チャンネルを復調し、その復調結果であるＴＳ出力２０はデコーダ部３０１へ入力される。デコーダ部３０１ではＴＳのパケットフィルタリングと画像・音声のデコードを行い、映像・音声・データ出力２２は選択部４０１に入力される。復調部２０２では制御部６０３から指示される第２の復調パラメータ４（自動搬送波再生ループフィルタ値及び係数値、自動周波数誤差除去ループフィルタ値及び係数値、位相誤差除去ループフィルタ値及び係数値、自動利得制御ループフィルタ値及び係数値、選局周波数値）によって受信チャンネルや復調特性を変更し復調を行う。その復調結果であるＴＳ出力２１はデコーダ部３０２に入力される。デコーダ部３０２では制御部６０３の指示に従って、ＴＳのパケットフィルタリングと画像・音声のデコードを行い、その中間情報の一部または全体が記憶部５０１へ入力される。また、制御部６０３の指示に応じて記憶部５０１から予め記憶しておいた中間情報を読み出しデコード処理を行う。その処理結果である映像・音声・データ出力２３は選択部４０１に入力される。選択部４０１は制御部６０３の指示によって、映像・音声・データ出力２２か映像・音声・データ出力２３のどちらか一方を選択し出力する。
【００４８】
次に、制御部６０３において、いかに復調部２０２とデコーダ部３０２と選択部４０１が制御されるかについて説明する。
【００４９】
図４の系において、２チャンネルの受信が必要な場合は、復調部２０１と復調部２０２を共に使用するが、１チャンネルのみ受信する必要があるとき、制御部６０３は使用していない復調部２０２を利用して、現在受信しているチャンネル以外の複数のチャンネルについて、予めチャンネルをスキャンしその時取り込んだチャンネルの情報の一部もしくは全体を記憶部５０１に記憶する。
【００５０】
ここで、制御部６０３は選局チャンネル信号１０が変更になったとき、予め記憶部５０１に記憶されている新しく選局されたチャンネルに対応する情報を読み出してデコーダ３０２でデコード処理を行い、選択部４０１からは映像・音声・データ出力２３を出力するように制御する。この時出力される情報は、静止画や動画や音声やデータであり、チャンネル切替後復調部２０１の動作が安定したら、選択部４０１は映像・音声・データ出力２２を出力するように制御部６０３に制御される。
【００５１】
また、制御部６０３は、複数チャンネルのダイジェストを要求されたときに、予め記憶部５０１に記憶されている要求された複数のチャンネルに対応する情報を読み出してデコーダ３０２でデコード処理を行い、選択部４０１からは映像・音声・データ出力２３を出力するように制御する。この時出力される情報は、静止画や動画や音声やデータであり、データを出力し終わったら、選択部４０１は映像・音声・データ出力２２を出力するように制御部６０３に制御される。
【００５２】
（第５の実施形態）
図５は、第５の実施形態による復調装置の全体構成図である。
【００５３】
図５において、１はディジタル変調信号、３は第１の復調パラメータ、４は第２の復調パラメータ、８は伝送品質評価値、９は伝送品質評価値、１２はＴＳパケット選択制御信号、２０はＴＳ出力、２１はＴＳ出力、２５は映像パケット出力、２６は音声パケット出力、２７はデータパケット出力、２０１は復調部、２０２は復調部、６０３は制御部、８０１はＴＳパケット処理部、である。
【００５４】
以上のように構成された復調装置について、以下図５を用いてその動作を説明する。
【００５５】
ディジタル変調信号１は復調部２０１と復調部２０２とへ入力される。復調部２０１では制御部６０３から指示される第１の復調パラメータ３（自動搬送波再生ループフィルタ値及び係数値、自動周波数誤差除去ループフィルタ値及び係数値、位相誤差除去ループフィルタ値及び係数値、自動利得制御ループフィルタ値及び係数値、選局周波数値）に基づいて復調し、その復調結果であるＴＳ出力２０はＴＳパケット処理部８０１へ入力される。復調部２０２では制御部６０３から指示される第２の復調パラメータ４（自動搬送波再生ループフィルタ値及び係数値、自動周波数誤差除去ループフィルタ値及び係数値、位相誤差除去ループフィルタ値及び係数値、自動利得制御ループフィルタ値及び係数値、選局周波数値）に基づいて復調し、その復調結果であるＴＳ出力２１はＴＳパケット処理部８０１へ入力される。ＴＳパケット処理部８０１では、ＴＳ出力２０とＴＳ出力２１を制御部６０３が出力するＴＳパケット選択制御信号１２によって選択し、フィルタリングすることで映像パケット出力２５と音声パケット出力２６とデータパケット出力２７を出力する。制御部６０３では復調部２０１から出力される伝送品質評価値８（復調後誤り率、ビタビ復号後誤り率、トレリス復号後誤り率、リードソロモン後誤り率、振幅誤差、位相誤差、周波数誤差、自動利得制御値）と復調部２０２から出力される伝送品質評価値９（復調後誤り率、ビタビ復号後誤り率、トレリス復号後誤り率、リードソロモン後誤り率、振幅誤差、位相誤差、周波数誤差、自動利得制御値）とを入力し第１の復調パラメータ３と第２の復調パラメータ４とＴＳパケット選択制御信号１２を制御している。
【００５６】
次に、制御部６０３において、いかに復調部２０１と復調部２０２とＴＳパケット処理部８０１が制御されるかについて説明する。
【００５７】
制御部６０３は、復調部２０１についてはビットエラーレート特性を重視した復調特性になるように第１の復調パラメータ３を設定し、復調部２０２については復調部２０２へ入力される信号が外乱によって変動した場合にそれに追従する特性を重視した復調特性になるように第２の復調パラメータ４を設定する。
【００５８】
ここで制御部６０３は、復調部２０１から出力される伝送品質特性８と復調部２０２から出力される伝送品質特性９をモニターしながら、伝送品質特性のよい方をＴＳパケット処理部８０１が選択するようにＴＳパケット選択制御信号１２を制御する。
【００５９】
（第６の実施形態）
図６は、第６の実施形態による復調装置の全体構成図である。
【００６０】
図６において、１はディジタル変調信号、６は第１の制御値、７は第２の制御値、１２はＴＳパケット選択制御信号、２０はＴＳ出力、２１はＴＳ出力、２５は映像パケット出力、２６は音声パケット出力、２７はデータパケット出力、２０１は復調部、２０２は復調部、６０３は制御部、８０１はＴＳパケット処理部、である。
【００６１】
以上のように構成された復調装置について、以下図６を用いてその動作を説明する。
【００６２】
ディジタル変調信号１は復調部２０１と復調部２０２とへ入力される。復調部２０１では、制御部６０３から指示される第１の制御値６に基づいて復調し、その復調結果であるＴＳ出力２０はＴＳパケット処理部８０１へ入力される。復調部２０２では、制御部６０３から指示される第２の制御値７に基づいて復調し、その復調結果であるＴＳ出力２１はＴＳパケット処理部８０１へ入力される。ＴＳパケット処理部８０１では、ＴＳ出力２０とＴＳ出力２１を制御部６０３が出力するＴＳパケット選択制御信号１２によって選択し、フィルタリングすることで映像パケット出力２５と音声パケット出力２６とデータパケット出力２７を出力する。制御部６０３では、復調部２０１の動作を決定する制御値６と復調部２０２の動作を決定する制御値７とＴＳパケット選択制御信号１２を制御している。
【００６３】
次に、制御部６０３において、いかに復調部２０１と復調部２０２とＴＳパケット処理部８０１が制御されるかについて説明する。
【００６４】
図６の系において、１チャンネルのみ受信する必要があるとき制御部６０３は、使用する復調部を復調部２０１にするか復調部２０２にするかを選択し決定する。制御部６０３が復調部２０１だけを選択することを決定した場合、制御値６（パワーダウン信号、クロック停止信号、第１の復調部への入力を固定させる制御信号、第１の復調部のＴＳ出力信号をＨｉｚに設定する制御信号）によって復調部２０１を動作させ、制御値７（パワーダウン信号、クロック停止信号、第２の復調部への入力を固定させる制御信号、第２の復調部のＴＳ出力信号をＨｉｚに設定する制御信号）によって復調部２０２の動作を停止させる。そしてＴＳパケット選択制御信号１２によってＴＳパケット処理部８０１がＴＳ出力２０を選択して処理するように制御する。また、制御部６０３が復調部２０２だけを選択することを決定した場合、制御値６によって復調部２０１の動作を停止させ、制御値７によって復調部２０２を動作させる。そしてＴＳパケット選択制御信号１２によってＴＳパケット処理部がＴＳ出力２１を選択して処理するように制御する。
【００６５】
次に、制御部６０３がいつどちらの復調部を選択するかの判断の方法は、チャンネル切替が発生したときに、受信する復調部を交互に切り替える。
【００６６】
なお、上記第１〜第６の実施形態において、復調部は２つとしてあるが、２つ以上でもよい。
【００６７】
また、上記第１の実施形態において、記憶・選択・制御部６０１の伝送品質評価値を変化させるレートは可変であっても良い。
【００６８】
また、上記第１の実施形態において、伝送品質評価値を判断する基準を設け、基準値以上である場合、復調部２０１へ与えても良い。
【００６９】
また、上記第４の実施形態において、制御部６０３が復調部２０２を使用して予め取り込んでおくチャンネルの情報は、現在受信しているチャンネルを含んでいてもよい。
【００７０】
また、上記第４の実施形態において、１チャンネルのみ受信する場合の制御部６０３の動作が説明してあるが、チャンネルを受信しなくて良い場合でも同様に処理しても良い。
【００７１】
また、上記第４の実施形態において、記憶部５０１は半導体記憶素子や磁気媒体や光媒体や光磁気媒体で実現してもよい。
【００７２】
また、上記第４の実施形態において、制御部６０３は、複数チャンネルのダイジェストを要求されたときに、対応する静止画や動画や音声やデータを出力し終わっても、さらに要求されたチャンネルに対してチャンネルスキャンを行い、出力するチャンネルダイジェスト情報をリアルタイムに更新していってもよい。
【００７３】
また、上記第５の実施形態において、ＴＳパケット処理部８０１は制御部６０３から出力されるＴＳパケット選択制御信号１２を使用せずに、ＴＳ出力２０とＴＳ出力２１のパケットにおいて、それぞれのパケットエラーインジケータをモニターし、少なくとも片方のパケットにはパケットエラーがない場合にはそのパケットエラーがないパケットを選択し、共にパケットエラーがある場合はＴＳ出力２０を選択するように動作させてもよい。
【００７４】
また、上記第６の実施形態において、ＴＳパケット処理部８０１は制御部６０３から出力されるＴＳパケット選択制御信号１２を使用せずに、ＴＳ出力２０とＴＳ出力２１のパケットにおいて、それぞれのパケット入力のあるなしをＴＳパケット処理部８０１が単独で判断し、入力があるほうのＴＳ出力を選択して処理してもよい。
【００７５】
また、上記第６の実施形態において、制御部６０３がいつどちらの復調部を選択するかの判断の方法は、ある周期によって切り替えてもよい。
【００７６】
また、上記第６の実施形態において、制御部６０３がいつどちらの復調部を選択するかの判断の方法は、復調部に電源が投入されるときに切り替えてもよい。
【００７７】
また、上記第６の実施形態において、制御部６０３がいつどちらの復調部を選択するかの判断の方法は、上記チャンネル切替時とある周期と電源投入時を任意に組み合わせて切り替えてもよい。
【００７８】
【発明の効果】
以上のように本発明は、複数の復調部と記憶・選択・制御部とを設けることにより、事前に想定していない伝送路においても復調パラメータを最適とすることで、常時高い復調性能を得ることができる。
【図面の簡単な説明】
【図１】第１の実施形態による復調装置の構成を示すブロック図である。
【図２】第２の実施形態による復調装置の構成を示すブロック図である。
【図３】第３の実施形態による復調装置の構成を示すブロック図である。
【図４】第４の実施形態による復調装置の構成を示すブロック図である。
【図５】第５の実施形態による復調装置の構成を示すブロック図である。
【図６】第６の実施形態による復調装置の構成を示すブロック図である。
【符号の説明】
１：ディジタル変調信号
２：通常出力
３：第１の復調パラメータ
４：第２の復調パラメータ
６：第１の制御値
７：第２の制御値
８：伝送品質評価値
９：伝送品質評価値
１０：受信チャンネル信号
１１：デコード制御信号
１２：ＴＳパケット選択制御信号
１３：同期検出信号
１４：同期検出信号
１５：同期引き込み時間
２０：ＴＳ
２１：ＴＳ
２２：映像・音声・データ
２３：映像・音声・データ
２４：選択部出力
２５：映像パケット出力
２６：音声パケット出力
２７：データパケット出力
２０１：第１の復調部
２０２：第２の復調部
３０１：第１のデコーダ部
３０２：第２のデコーダ部
４０１：選択部
５０１：記憶部
６０１：記憶・選択・制御部
６０２：選択・制御部
６０３：制御部
７０１：選局部
８０１：ＴＳパケット処理部
９０１：同期引き込み時間測定部
【図１】
2004266751.tif 000003
【図２】
2004266751.tif 000004
【図３】
2004266751.tif 000005
【図４】
2004266751.tif 000006
【図５】
2004266751.tif 000007
【図６】
2004266751.tif 000008